(57)【特許請求の範囲】
【請求項１】
所定の情報が取得可能であることを通知するためのイベント通知を受信するイベント通知受信手段と、
映像情報を受信する映像情報受信手段と、
前記イベント通知が受信された場合に、前記所定の情報の表示又は非表示を指示するための情報を含むポップアップ表示情報を表示装置に表示させる第１の表示制御手段と、
前記イベント通知が受信された場合に、このイベント通知に含まれる、前記所定の情報の重要度を示すイベントタイプを判別するイベントタイプ判別手段と、
前記判別されたイベントタイプに基づいて、前記ポップアップ表示情報、前記所定の情報及び前記映像情報の表示形態をそれぞれ設定する表示形態設定手段と、
前記所定の情報の表示を指示された場合に、前記表示形態を設定された前記所定の情報と前記映像情報とを前記表示装置に表示させる第２の表示制御手段と、を具備し、
前記表示形態設定手段は、前記表示装置における表示領域上の右側及び左側のうちから決定された一方の側に寄った位置に前記ポップアップ表示情報を表示させ、さらに当該表示領域上の前記決定された一方の側に寄った位置に前記所定の情報を表示させると共に当該表示領域上の他方の側に寄った位置に前記映像情報を表示させるように、これらの情報の表示形態をそれぞれ設定する、映像受信装置。
【請求項２】
前記表示形態設定手段は前記イベントタイプが示す前記所定の情報の重要度が高い場合には、重要度が低い場合より大きい表示サイズで前記所定の情報を表示するように前記表示形態を設定する
請求項１記載の映像受信装置。
【請求項３】
前記映像受信装置とは異なる他の情報処理装置に対して前記所定の情報を取得させるための指示を送信する送信手段と、
取得させた前記所定の情報を前記他の情報処理装置より受信する受信手段と
を更に具備する請求項１又は２記載の映像受信装置。
【請求項４】
前記ポップアップ表示情報は、前記イベント通知を受信した旨を示す情報を含む、
請求項１ないし３のいずれか１項に記載の映像受信装置。
【請求項５】
前記表示形態設定手段は、前記所定の情報を前記表示装置に全画面表示させる表示形態を設定可能である、
請求項１ないし４のいずれか１項に記載の映像受信装置。
【請求項６】
前記表示形態設定手段は、前記ポップアップ表示情報の表示形態を設定する、
請求項１ないし５のいずれか１項に記載の映像受信装置。
【請求項７】
前記所定の情報の表示を指示された場合に、前記所定の情報を取得する手段、
をさらに具備する請求項１ないし６のいずれか１項に記載の映像受信装置。
【請求項８】
所定の情報が取得可能であることを通知するためのイベント通知をイベント通知受信手段が受信するステップと、
映像情報を映像情報受信手段が受信するステップと、
前記イベント通知が受信された場合に、前記所定の情報の表示又は非表示を指示するための情報を含むポップアップ表示情報を第１の表示制御手段が表示装置に表示させるステップと、
前記イベント通知が受信された場合に、このイベント通知に含まれる、前記所定の情報の重要度を示すイベントタイプをイベントタイプ判別手段が判別するステップと、
前記判別されたイベントタイプに基づいて、前記ポップアップ表示情報、前記所定の情報及び前記映像情報の表示形態を表示形態設定手段がそれぞれ設定するステップと、
前記所定の情報の表示を指示された場合に、前記表示形態を設定された前記所定の情報と前記映像情報とを第２の表示制御手段が前記表示装置に表示させるステップと、を有し、
前記設定するステップでは、前記表示装置における表示領域上の右側及び左側のうちから決定された一方の側に寄った位置に前記ポップアップ表示情報を表示させ、さらに当該表示領域上の前記決められた一方の側に寄った位置に前記所定の情報を表示させると共に当該表示領域上の他方の側に寄った位置に前記映像情報を表示させるように、これらの情報の表示形態をそれぞれ設定する、表示出力方法。
【発明の詳細な説明】
【技術分野】
【０００１】
本発明は映像受信装置および表示出力方法に関するものであり、特に表示される情報の重要度をユーザに認識させやすい映像受信装置および表示出力方法に関する。
【背景技術】
【０００２】
近年の通信技術の発達により、放送番組以外の情報を取得することができ、この放送番組以外の情報を放送番組と同時に表示装置に表示させることが可能な放送受信装置が提供されるようになった。
【０００３】
例えば、放送プロバイダにより設定されたフォーマットに倣って、受信する放送番組およびこの放送番組に関連する情報を表示装置に表示させるセットトップボックスが提案されている（特許文献１を参照）。
【先行技術文献】
【特許文献】
【０００４】
【特許文献１】特表２００２−５３６９２３号公報
【発明の概要】
【発明が解決しようとする課題】
【０００５】
上述のように映像受信装置が放送番組以外の情報を取得する取得の仕方としては様々な態様が存在する。その内の一つとして、まず情報の提供者が提供可能な情報が存在することを通知するイベント通知を映像受信装置に対して送信し、このイベント通知を受信した映像受信装置側がこのイベント通知に含まれる情報に基づいて、提供情報を取得するという情報取得の態様が存在する。
【０００６】
上述の提供情報には様々な重要度のものが考えられるが、ユーザはすべて同じ画面レイアウトにて情報の内容を表示していたため、重要度に応じた提供内容の確認・操作することができなかった。
【０００７】
本発明は、上記課題に鑑みてなされたものであって、提供情報の表示形態をその提供情報に応じた表示形態に変更可能な映像受信装置および表示出力方法を提供することを目的とする。
【課題を解決するための手段】
【０００８】
本発明にかかる映像受信装置は、所定の情報が取得可能であることを通知するためのイベント通知を受信するイベント通知受信手段と、映像情報を受信する映像情報受信手段と、前記イベント通知が受信された場合に、前記所定の情報の表示又は非表示を指示するための情報を含むポップアップ表示情報を表示装置に表示させる第１の表示制御手段と、前記イベント通知が受信された場合に、このイベント通知に含まれる、前記所定の情報の重要度を示すイベントタイプを判別するイベントタイプ判別手段と、前記判別されたイベントタイプに基づいて、前記ポップアップ表示情報、前記所定の情報及び前記映像情報の表示形態をそれぞれ設定する表示形態設定手段と、前記所定の情報の表示を指示された場合に、前記表示形態を設定された前記所定の情報と前記映像情報とを前記表示装置に表示させる第２の表示制御手段と、を具備し、前記表示形態設定手段は、前記表示装置における表示領域上の右側及び左側のうちから決定された一方の側に寄った位置に前記ポップアップ表示情報を表示させ、さらに当該表示領域上の前記決定された一方の側に寄った位置に前記所定の情報を表示させると共に当該表示領域上の他方の側に寄った位置に前記映像情報を表示させるように、これらの情報の表示形態をそれぞれ設定する。
【０００９】
本発明にかかる表示出力方法は、所定の情報が取得可能であることを通知するためのイベント通知をイベント通知受信手段が受信するステップと、映像情報を映像情報受信手段が受信するステップと、前記イベント通知が受信された場合に、前記所定の情報の表示又は非表示を指示するための情報を含むポップアップ表示情報を第１の表示制御手段が表示装置に表示させるステップと、前記イベント通知が受信された場合に、このイベント通知に含まれる、前記所定の情報の重要度を示すイベントタイプをイベントタイプ判別手段が判別するステップと、前記判別されたイベントタイプに基づいて、前記ポップアップ表示情報、前記所定の情報及び前記映像情報の表示形態を表示形態設定手段がそれぞれ設定するステップと、前記所定の情報の表示を指示された場合に、前記表示形態を設定された前記所定の情報と前記映像情報とを第２の表示制御手段が前記表示装置に表示させるステップと、を有し、前記設定するステップでは、前記表示装置における表示領域上の右側及び左側のうちから決定された一方の側に寄った位置に前記ポップアップ表示情報を表示させ、さらに当該表示領域上の前記決められた一方の側に寄った位置に前記所定の情報を表示させると共に当該表示領域上の他方の側に寄った位置に前記映像情報を表示させるように、これらの情報の表示形態をそれぞれ設定する。
【発明の効果】
【００１０】
本発明によれば、イベント通知に含まれる情報の重要度に基づいて提供情報の表示形態を設定することで、提供情報の表示形態をその提供情報に応じた表示形態に変更可能な映像受信装置および表示出力方法を提供することを目的とする。
【図面の簡単な説明】
【００１１】
【図１】本発明の第１の実施形態における映像表示システムの一例を示す図。
【図２】本発明の第１の実施形態におけるDTVの内部構成の一例を示すブロック図。
【図３】本発明の第１の実施形態におけるイベント表示作成処理に関するDTV１の内部構成の一例を示すブロック図。
【図４】本発明の第１の実施形態におけるイベント通知後のDTVの表示部の表示の一例を示す図。
【図５】本発明の第１の実施形態におけるイベント通知に含まれるイベントタイプが緊急（emergency）である場合の表示部の表示の一例を示す図。
【図６】本発明の第１の実施形態におけるイベント通知に含まれるイベントタイプが警報（alert）である場合の表示部の表示の一例を示す図。
【図７】本発明の第１の実施形態におけるイベント通知に含まれるイベントタイプが確認（notice）である場合の表示部の表示の一例を示す図。
【図８】本発明の第１の実施形態におけるイベント通知に含まれるイベントタイプがお知らせ（information）である場合の表示部の表示の一例を示す図。
【図９】本発明の第１の実施形態におけるイベント通知受信後のDTVの処理フローの一例を示すフロー図。
【図１０】本発明の第１の実施形態の変形例におけるイベント表示作成処理に関するDTVの内部構成の一例を示すブロック図。
【図１１】本発明の第１の実施形態の変形例におけるイベント通知後のDTVの表示部の表示の一例を示す図。
【図１２】本発明の第２の実施形態における映像表示システムの一例を示す図。
【図１３】本発明の第２の実施形態におけるイベント通知後のDTVの表示部の表示の一例を示す図。
【発明を実施するための形態】
【００１２】
本発明の実施の形態を図面を参照して説明する。
【００１３】
（第１の実施形態）
以下では、本発明にかかる第１の実施形態を図１乃至図９を用いて説明する。
【００１４】
図１は本実施形態における映像表示システム１の一例を示す図である。図１にはDTV１０、HGW１１、インターネット１２、及びサーバ１３より構成される映像表示システム１が示されている。
【００１５】
DTV１０は本実施形態における映像受信装置の一例であるデジタルテレビジョン（Digital TeleVision）である。DTV１０は放送局が送信する放送波を受信し、受信した放送波に基づいて放送局の提供する放送番組を表示する機能を有している。本実施形態において放送受信装置の一例としてDTV１０を示すがこれに限定されるものではなく、映像受信装置の例としては、他にもチューナ内蔵の光ディスクプレイヤーのような映像再生装置、STB（Set Top Box）、携帯電話等の様々なものが考えられる。
【００１６】
HGW１１はプロトコルの異なるネットワーク同士を通信可能に接続する機能を持つ宅内ゲートウェイ（Home GateWay）である。HGW１１にはDTV１０及びインターネット１２が接続されており、HGW１１はDTV１０とインターネット１２との間を通信可能に接続している。本実施形態においてHGW１１とDTV１０とはLAN（Local Area Network）ケーブルによって接続されていると例示する。しかしこれに限定されず、HGW１１とDTV１０とは例えば無線LAN等の他の通信手段によって接続されていてもよい。
【００１７】
インターネット１２は、例えばInternetのような大規模ネットワーク網（WAN: Wide Area Network）であり、接続されている各種通信機器同士を互いに通信可能としている。
【００１８】
サーバ１３は外部機器としての情報提供装置であり、インターネット１２を介して、DTV１０にWebページによる情報の提供（所定の情報の提供）を行うことが可能であり、この提供する情報に関する各種イベント通知を所定のIP（Internet Protocol）アドレスが割り当てられる電子機器に対してマルチキャストによって送信する機能を有している。
【００１９】
図２は本実施形態におけるDTV１０の内部構成の一例を示すブロック図である。
【００２０】
このDTV１０は、装置各部の動作を制御する制御部１５６を備えている。制御部１５６は、CPU（Central Processing Unit）等を内蔵している。制御部１５６は、操作部１１６から入力される操作信号や、リモートコントローラ１１７から送信され受光部１１８を介して受信される操作信号に応じて、ROM（Read Only Memory）１５７に予め記憶されたシステム制御プログラム及び各種処理プログラムを起動させる。制御部１５６は、起動したプログラムに従って、RAM（Random Access Memory）１５８をワークメモリとして装置各部の動作を制御する。各部の動作制御に必要な各種の設定情報及び制御情報等は、一例として、不揮発性メモリ１５９に格納される。
【００２１】
また、DTV１０は、一例として、放送形式として地上波アナログ放送、地上波デジタル放送、BSデジタル放送及びCSデジタル放送等を受信することができるように構成され、さらに、これらから供給される番組を録画したり、録画した番組に関する種々の情報である番組関連情報を記憶したりすることができるHDD１７０を備えている。
【００２２】
BS／CSデジタル放送受信用のアンテナ１４３は、衛星デジタルテレビジョン放送信号を受信する。受信されたデジタル放送信号は、入力端子１４４を介して衛星デジタル放送用のチューナ１４５に供給される。チューナ１４５は、受信したデジタル放送信号のチューニングを行い、チューニングしたデジタル放送信号をPSK（Phase Shift Keying）復調器１４６に送信する。PSK復調器１４６は、TS（Transport Stream）の復調を行い、復調したTSをTS復号器１４７aに供給し、TS復号器１４７aは、TSをデジタル映像信号及び音声信号等に復号した後、信号処理部１００にこれを出力する。
【００２３】
地上波デジタル放送受信用のアンテナ１４８は、地上波デジタルテレビジョン放送信号（映像情報）を受信する。受信されたデジタル放送信号は、入力端子１４９を介して地上波デジタル放送用のチューナ１５０に供給される。チューナ１５０は、受信したデジタル放送信号のチューニングを行い、チューニングしたデジタル放送信号をそれぞれのOFDM（Orthogonal Frequency Division Multiplexing）復調器１５１に送信する。OFDM復調器１５１は、TSの復調を行い、復調したTSをそれぞれのTS復号器１４７bに供給し、TS復号器１４７bは、TSをデジタル映像信号及び音声信号等に復号した後、信号処理部１００にこれを出力する。
【００２４】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、DTV１０は、一例として、アンテナ１４８が接続される入力端子１４９にCATV（Common Antenna TeleVision）用のチューナを接続することによってCATVも視聴することができる。上述の各種アンテナは映像情報受信手段として機能している。
【００２５】
信号処理部１００は、TS復号器１４７a、１４７ｂから出力されたデジタル放送信号に、適切なデジタル信号処理を施す。デジタル放送信号は、データ信号、映像信号及び音声信号に分離される。分離された映像信号はグラフィック処理部１５２に、音声信号は音声処理部１５３に出力される。信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２６】
OSD（On Screen Display）信号生成部１５４は、制御部１５６の制御に従って、UI（ユーザ・インタフェース）画面などを表示するためのOSD信号を生成する。また信号処理部１００においてデジタル放送信号から分離されたデータ信号は、OSD信号生成部１５４により適切なフォーマットのOSD信号に変換され、グラフィック処理部１５２に出力される。
【００２７】
グラフィック処理部１５２は、信号処理部１００から出力されるデジタルの映像信号のデコード処理を行う。デコードされた映像信号は、OSD信号生成部１５４から出力されたOSD信号と重ね合わせて合成され、映像処理部１５５に出力される。グラフィック処理部１５２は、デコードされた映像信号またはOSD信号を、映像処理部１５５に選択的に出力することもできる。
【００２８】
映像処理部１５５は、グラフィック処理部１５２から出力された信号を、表示部１２０（表示装置）で表示可能なフォーマットの映像信号であるアナログ映像信号に変換する。アナログに変換された映像信号は、表示部１２０に出力され、表示画面１２１に表示される。また、映像処理部１５５は、外部出力端子１３５に接続されたHDDレコーダ等の外部装置に映像信号を出力することができる。
【００２９】
音声処理部１５３は、入力された音声信号を、スピーカ１１０で再生可能なフォーマットのアナログ音声信号に変換する。アナログに変換された音声信号は、スピーカ１１０に出力されて再生される。また、音声処理部１５３は、外部出力端子１３６に接続されたアンプ等の外部装置に音声信号を出力することができる。
【００３０】
カードホルダ１６１は、カードI/F（Interface）１６０を介して制御部１５６に接続されている。第１のメモリーカード１１９Ａは、このカードI/F１６０に装着可能である。第１のメモリーカード１１９Ａは、例えばSD（Secure Digital）メモリーカード、MMC（Multimedia Card）及びCF（Compact Flash）カード等の記憶媒体である。カードホルダ１６１に装着された第１のメモリーカード１１９A、及び制御部１５６は、カードI/F１６０を介して情報の伝達を行うことができる。制御部１５６は、第１のメモリーカード１１９Aに、画像や音楽、放送番組等のデータを格納することができる。また制御部１５６は、第１のメモリーカード１１９Aに格納された画像や音楽、放送番組等のデータを読み出して、表示部１２０に表示させたり、スピーカ１１０から音声出力させたりすることができる。
【００３１】
カードホルダ１６３は、カードI/F１６２を介して制御部１５６に接続されている。第２のメモリーカード１１９Bは、このカードI/F１６２に装着可能である。第２のメモリーカード１１９Bは、例えば放送受信契約の契約情報等を記憶する記憶媒体である。カードホルダ１６３に装着された第２のメモリーカード１１９B、及び制御部１５６は、カードI/F１６０を介して情報の伝達を行うことができる。
【００３２】
LAN端子１３１は、通信I/F１６４を介して制御部１５６に接続されている。LAN端子１３１はイーサネット（登録商標）を用いた一般的なLAN対応ポートとして使用されており、LANケーブルによってHGW１１と接続される。DTV１０はこのLAN端子１３１によって、HGW１１を介したインターネット１２との通信接続を行うことができる。
【００３３】
HDMI端子１３２は、通信I/F１６５を介して制御部１５６に接続されている。HDMI端子１３２は、一般的なHDMI（High Definition Multimedia Interface）規格対応した各種電子機器用のポートとして使用される。
【００３４】
USB（Universal Serial Bus）端子１３３は、USB I/F１６６を介して制御部１５６に接続されている。USB端子１３３は、一般的なUSB対応ポートとして使用される。USB端子１３３には、例えばハブを介して、携帯電話、デジタルカメラ、各種メモリーカードに対するカードリーダ／ライタ、HDD、キーボード等が接続される。制御部１５６は、USB端子１３３を介して接続される機器との間で、情報の伝達を行うことができる。
【００３５】
図３は本実施形態におけるイベント表示作成処理に関するDTV１０の内部構成の一例を示すブロック図である。図３には通信I/F１６４、制御部１５６、通信部３１、イベントタイプ判別部３２、表示レイアウト設定部３３、ポップアップ表示作成部３４、ブラウザ画像表示作成部３５、OSD信号生成部１５４、グラフィック処理部１５２、映像処理部１５５、および表示部１２０が示されている。
【００３６】
本実施形態ではサーバ１３がDTV１０に提供したい情報（所定の情報）を有しているときに、この情報が存在していることをDTV１０に通知するイベント通知をサーバ１３がDTV１０を含む所定のIPアドレス群にマルチキャスト送信する場合を例に挙げて説明を行なう。イベント通知を受信したDTV１０は該イベント通知に関するポップアップを表示し、ユーザがこのポップアップを見てサーバ１３が提供する情報を閲覧したい場合には、ユーザからの指示従い、イベント通知に含まれるURL（Uniform Resource Locator）情報に基づいてサーバ１３よりWebページを取得して、このWebページに対応する所定のブラウザを用いての該Webページの表示を行なう。本実施形態においてイベント通知には該イベントにかかる提供情報の重要度を示すイベントタイプ、DTV１０がイベント通知に関するポップアップ表示を作成する際のポップアップ表示に表示される文字列であるメッセージ、提供情報が示されているWebページのURL、およびその他拡張情報が含まれている。
【００３７】
制御部１５６は通信部３１、イベントタイプ判別部３２、表示レイアウト設定部３３、ポップアップ表示作成部３４、ブラウザ画像表示作成部３５を有している。
【００３８】
通信部３１は通信I/F１６４と信号の送受信を行い、通信I/F１６４を介して外部ネットワークと情報の送受信を行う機能を有している。通信部３１はイベント通知受信手段として、サーバ１３より送信されたイベント通知を受信すると、このイベント通知に関する情報をイベントタイプ判別部３２、ポップアップ表示作成部３４に対して送信する。また後には、サーバ１３より取得するWebページの画像に関する情報をブラウザ画像表示作成部３５に対して送信する機能を有している。また、通信部３１は受光部１１８より信号を受信し、リモートコンロローラ１１７をからのユーザの操作指示を受信する機能を有している。通信部３１はユーザより操作指示を受信すると、該操作に関連する制御部１５６内の各モジュールにこの操作指示にかかる信号を送信する機能を有している。
【００３９】
イベントタイプ判別部３２は通信部３１より受信するイベント通知に関する情報に基づいて該イベント通知のイベントタイプを判別する。このイベントタイプとはイベント通知によって前もって通知される、サーバ１３がDTV１０に提供する情報の重要度および緊急度を示す指標である。イベントタイプには緊急（emergency）、警報（alert）、確認（notice）、及びお知らせ（information）の４つの種類が存在し、これらは降順で重要度および緊急度が低くなっている。イベント通知はこれらのイベントタイプの情報を有しており、イベントタイプ判別部３２はこのイベントタイプの情報をイベント通知に関する情報に基づいて判別する。イベントタイプ判別部３２はDTV１０が受信したイベント通知のイベントタイプを判別すると、このイベントタイプの情報を表示レイアウト設定部３３にこの情報を送信する。
【００４０】
表示レイアウト設定部３３はイベントタイプ判別部３２より受信するイベントタイプ情報に基づいて、ユーザがイベント通知によって通知される情報を閲覧（DTV１０に表示）する場合に、そのとき放送されている放送番組とサーバ１３が提供するWebページとの表示レイアウト（放送番組の表示と、Webページを表示するブラウザの表示画面上での配置）を設定する表示形態設定手段としての機能を有している。このレイアウトの例に関しては図４乃至図８を用いて後述する。
【００４１】
ポップアップ表示作成部３４はDTV１０がイベント通知を受信するとき、通信部３１から受信するイベント通知に関する情報に基づいて、ユーザにイベント通知を受信したことを知らせる表示であるポップアップ表示に関する信号を作成する機能を有している。ポップアップ表示は放送番組の表示の上に重ねられて表示され、イベント通知を受信しサーバ１３側に提供したい情報が存在することを示す画面である。ユーザはこのポップアップ画面の指示に基づいた操作をリモートコントローラ１１７等にて行うことで、ユーザは該提供情報を取得（閲覧）することができる。ポップアップ表示の例については図４乃至図８を用いて後述する。
【００４２】
ブラウザ画像表示作成部３５は通信部３１より受信するサーバ１３が提供するWebページの画像に関する情報を受信して、該情報に基づいてWebページの表示情報を作成する機能を有している。ユーザがポップアップ表示を見て、このポップアップにかかるWebページを表示するようにDTV１０に操作入力を行った場合、通信部３１はサーバ１３に対してこのWebページに関する情報をDTV１０に対して送信するように要求し、該要求にしたがってサーバ１３よりWebページに関する情報が送られてくると、この情報をブラウザ画像表示作成部３５に対して送信する。このWebページに関する情報を受信したブラウザ画像表示作成部３５はブラウザによる該Webページの表示を行なうべく、ブラウザを立ち上げ、ブラウザと該Webページの表示情報を作成する。本実施形態においてはこのブラウザはHTML（HyperText Markup Language）ブラウザであると例示する。しかしこれに限定されず例えばBML（Broadcast Markup Language）ブラウザや、動画／静止画のビューアや、その他アプリの実行環境であってもよい。
【００４３】
本実施形態において表示レイアウト設定部３３、ポップアップ表示作成部３４、およびブラウザ画像表示作成部３５はそれぞれ表示に関する信号を生成すると、これらの信号をOSD信号生成部１５４に対して送信する。OSD信号生成部１５４は受信した表示に関する信号に基づいてOSD信号を生成し、グラフィック処理部１５２に該OSD信号を出力する。OSD信号を受信したグラフィック処理部１５２はダビング情報表示のOSD信号と現在放送されている放送番組の画像表示とを重ね合わせて合成し（表示信号生成手段）、映像処理部１５５に対して合成した信号（表示信号）を出力する。映像処理部１５５は入力を受けた信号に基づいて出力手段として表示部１２０に合成された画像表示を出力する。
【００４４】
本実施形態におけるDTV１０の表示部１２０に表示される表示の例を図４乃至図８を用いて説明する。
【００４５】
図４は本実施形態におけるイベント通知後のDTV１０の表示部１２０の表示の一例を示す図である。図４にはDTV１０、表示部１２０、スピーカ１１０、放送番組画面４１、ポップアップ表示４２、及びブラウザ画面４３が示されている。
【００４６】
まず、ユーザがDTV１０によって放送波の視聴を行うとき、DTV１０は表示部１２０の全面に放送番組画面４１を表示している（図４上）。ここで放送番組画面４１とは放送局より現在受信している放送番組を表示する画面である。
【００４７】
次に、DTV１０はサーバ１３よりイベント通知を受信すると、ポップアップ表示４２の表示画像を作成し、表示部１２０の放送番組画面４１に重ねてポップアップ表示４２を表示する（図４中）。ここでのポップアップ表示４２の表示画像はポップアップ表示作成部３４によって作成されたポップアップ表示に関する信号に基づいて生成されたものである。
【００４８】
ここで、ユーザがリモートコントローラ１１７等によって、サーバ１３からの提供情報の閲覧指示を行わずにポップアップ表示４２の非表示指示を行うと、DTV１０はポップアップ表示４２を非表示とし、後に特に何も行わない。本実施形態におけるポップアップ表示４２には「詳細」と表示されている領域があり、ユーザはこの「詳細」と表示されている領域を選択することでサーバ１３からの提供情報の詳細を閲覧することができる（Webページを表示することができる）。ユーザが提供情報の閲覧指示を行うと、DTV１０はポップアップ表示４２を非表示とし、更に２画面によって今まで表示していた放送番組画面４１とサーバ１３が提供するWebページを表示するブラウザ画面４３とを表示する（図４下）。このときの表示部１２０に表示される表示画面のレイアウトはイベント通知に含まれるイベントタイプの情報に基づいて表示レイアウト設定部３３が作成したレイアウトに従って表示されている。またブラウザ画面４３はブラウザ画像表示作成部３５が作成したWebページの表示情報に基づいて表示されている。
【００４９】
ユーザがポップアップ表示４２を見て、サーバ１３が提供する情報を閲覧しようとするとき、上述のようにDTV１０はイベント通知のイベントタイプの情報に基づいて表示部１２０に表示する放送番組画面４１とブラウザ画面４３のレイアウト（各画面の配置、大きさ、有り／無し）を決定する。
【００５０】
本実施形態におけるイベントタイプとDTV１０によって決定される表示部１２０のレイアウトの対応関係を図５乃至図８を用いて以下で説明する。
【００５１】
図５は本実施形態におけるイベント通知に含まれるイベントタイプが緊急（emergency）である場合の表示部１２０の表示の一例を示す図である。
【００５２】
ここでは放送番組画面４１は表示部１２０に表示されず、ブラウザ画面４３が全画面で表示部１２０に表示されている。サーバ１３より提供される情報が「緊急（emergency）」であるときには、全画面でブラウザ画面４３の表示を行なうことでユーザはこの情報が緊急情報であり、重要な情報であることを一見して把握することが可能となり、またブラウザ画面４３が見やすくなるため可視性がよくなり、Webページを閲覧しやすい。
【００５３】
図６は本実施形態におけるイベント通知に含まれるイベントタイプが警報（alert）である場合の表示部１２０の表示の一例を示す図である。
【００５４】
ここでは表示部１２０には放送番組画面４１及びブラウザ画面４３が表示されており、ブラウザ画面４３は放送番組画面４１より大きく表示されている。これによりユーザはこのサーバ１３からの提供情報がある程度重要であることを一見して把握することができ、ブラウザ画面が大きめに表示されているためWebページの内容を把握しやすい（可視性がよい）。
【００５５】
図７は本実施形態におけるイベント通知に含まれるイベントタイプが確認（notice）である場合の表示部１２０の表示の一例を示す図である。
【００５６】
ここでは表示部１２０には放送番組画面４１及びブラウザ画面４３が表示されており、ブラウザ画面４３は放送番組画面４１より小さく表示されている。これによりユーザはこのサーバ１３からの提供情報があまり重要でないことを一見して把握することができる。
【００５７】
図８は本実施形態におけるイベント通知に含まれるイベントタイプがお知らせ（information）である場合の表示部１２０の表示の一例を示す図である。
【００５８】
ここでは表示部１２０には放送番組画面４１及びブラウザ画面４３が表示されており、放送番組画像４１上にブラウザ画面４３が重ね合わされて、表示部１２０の右下に表示されている。これによりユーザはサーバ１３からの提供情報が重要な情報ではないことを一見して把握することができる。
【００５９】
これらのようにDTV１０はサーバ１３から受信するイベント通知のイベントタイプに基づいて、表示部１２０に表示する放送番組画面４１とブラウザ画面４３のレイアウトを設定するため、ユーザはブラウザ画面４３を表示した際の表示部１２０の画面レイアウトを一見するのみで、その情報の重要度、緊急度を把握することが可能となる。DTV１０をユーザが視聴している際には、例えば「地震が１５秒後に発生する」等の即時性を持つ情報を提供者側はタイムリーに提供することができ、ユーザは表示部１２０のレイアウトを確認することで情報の重要度をすぐに把握することができる。また更に、重要な情報の場合はブラウザ画面４３は大きく表示されるできるため、ユーザは情報を把握しやすくなる（表示されているWebページが見やすい）。
【００６０】
図５乃至図８で挙げた表示部１２０の表示レイアウト（表示形態）はあくまで例示であって、これに限定されるものではない。このレイアウトにおける放送番組画面４１およびブラウザ画面の画面サイズ、位置等は設計により様々な態様に構成することが可能である。また本実施形態においては放送番組画面４１のサイズ及び配置の変更も行なったが、放送番組画面４１は全画面で表示し続け、ブラウザ画面４３を放送番組画面４１に重ねて表示するという実施の態様（表示形態）も考えられる。このとき、DTV１０は受信するイベント通知のイベントタイプによってブラウザ画面のサイズを変更する。イベントタイプの重要度が高い場合には大きいサイズでブラウザ画面を表示し、重要度が低い場合には小さいサイズでブラウザ画面を表示するように設計すると、ユーザはブラウザ画面の大きさによって提供される情報の重要度を一見して把握することができる。
【００６１】
次に図９を用いて本実施形態におけるイベント通知受信後のDTV１０の処理フローについて説明する。
【００６２】
図９は本実施形態におけるイベント通知受信後のDTV１０の処理フローの一例を示すフロー図である。
【００６３】
まずDTV１０はLAN端子１３１よりイベント通知を受信すると（ステップS９０１）、イベントタイプ判別部３２がこのイベント通知のイベントタイプが何であるかの判別を行う（ステップS９０２）。
【００６４】
イベントタイプ判別部３２がイベントタイプを判別すると、表示レイアウト設定部３３がこのイベントタイプに基づいて表示部１２０に表示する放送番組画面４１とブラウザ画面４３を表示する表示レイアウトを設定する（ステップS９０３）。
【００６５】
次にポップアップ表示作成部３４がポップアップ表示に関する信号を作成し（ステップS９０４）、DTV１０はこの信号に基づいて表示部１２０にポップアップ表示４２を表示する（ステップS９０５）。
【００６６】
ポップアップ表示４２を表示すると、DTV１０はユーザより詳細情報（ブラウザ画面）を表示するよう指示を受信した否かの判別を行なう（ステップS９０６）。ステップS９０６において詳細情報（ブラウザ画面）の表示指示を受信しないときは（No）、次にポップアップ表示４２の非表示指示を受信したか否かの判別を行う（ステップS９０７）。非表示指示が行われたときは（ステップS９０７、Yes）、DTV１０はポップアップ表示４２を非表示とする（ステップS９０８）。ステップS９０７において非表示指示を受信しないときは、DTV１０は内蔵された時計によって（図示しない）、時間を計測し、所定時間が経過するのを計測し（ステップS９０９）、該所定時間の経過後にステップS９０８へと進み、ポップアップ表示４２を非表示とする。
【００６７】
ステップS９０６においてユーザより詳細情報（ブラウザ画面）の表示指示を受信するときは（ステップS９０６、Yes）、まずポップアップ表示４２を非表示として（ステップS９１０）、ブラウザ画面４３を表示する（ステップS９１１）。このステップS９１１ではステップS９０３で決定したレイアウトに基づいてブラウザ画面４３及び放送番組画面４１を表示する（本実施形態においてイベントタイプが「緊急（emergency）」のときは放送番組画面４１は表示しない）。このときの表示部１２０に表示するレイアウトの例としては図５乃至図８示したものである。
【００６８】
ステップS９０９及びステップS９１１の終了後は本実施形態における処理フローは終了となる。
【００６９】
本実施形態において、DTV１０は受信したイベント通知のポップアップを全てすぐに表示するのではなく、あるイベント通知を受信したときに他のイベント通知に関するポップアップ表示４２又はWebページをDTV１０が表示している時には、表示中のポップアップ表示又はWebページにかかるイベント通知のイベントタイプより、このイベント通知イベントタイプの重要度が高かったとき（または同じのとき）のみ、すぐさまポップアップ表示を行なう。表示中のものよりイベントタイプの重要度が低い場合には、DTV１０は一度その情報を不揮発性メモリ１５９に保持し、表示中のポップアップ表示又はWebページが非表示となったときに、この（重要度が低い）イベント通知に関するポップアップ表示を表示する。このように構成することでDTV１０は後から受信した重要度の低いイベント通知にかかる表示を表示することなく、ユーザは重要度の高い表示を優先的に視聴することができる。
【００７０】
また本実施形態において、情報提供元は宅外に存在するサーバ１３と例示して示しているが、これに限定されない。例えばHGW１１を介してインターネット１２ではなく宅内ネットワークとの接続を行い、ドアホン、冷蔵庫等の家電とホームネットワークを介した状態でDTV１０を接続し、これらの家電より受信するイベント通知に関して本発明を適用してもよい。このときの実施の態様の一例としては、ドアホンよりイベント通知を受けてDTV１０はポップアップ表示４２を表示し、ユーザから詳細表示の表示指示を受けると、ドアホンシステムから受信するドアの前の映像を表示するビューアを開き、ドアの前の映像を表示するとしてもよい。このときドアホンのベルを押された回数によってドアホンが送信するイベント通知のイベントタイプを設定するとしてもよい。冷蔵庫が開きっぱなしになっていると開いている時間に応じて、イベントタイプの異なるイベント通知を冷蔵庫はDTV１０に送信するとしてもよい。このように本発明は宅内ネットワークに関しても適用可能であり、その実施の態様は様々なものが考えられる。
【００７１】
本実施形態におけるDTV１０によれば、イベント通知を受信し、ユーザが該イベント通知に関するサーバ１３が提供する情報を閲覧する際に、DTV１０がブラウザ画面の表示の態様をイベント通知に含まれるイベントタイプに基づいて設定することで、提供情報の表示形態をその提供情報に応じた表示形態とすることが可能となる。
【００７２】
また、本実施形態のDTV１０ではサーバ１３が提供する情報の重要性が高い場合にはブラウザ画面は重要性が低い場合より大きく表示されるため、情報を表示するブラウザの可視性が高くなる。
【００７３】
（第１の実施形態の変形例）
第１の実施形態の変形例を図１０及び図１１を用いて説明する。
【００７４】
本変形例における映像表示システムの構成は第１の実施形態と同様である。第１の実施形態と機能がほぼ同様のものに関しては符号を同じ符号として説明し、機能の異なるもの（機能が追加されているもの）は異なった符号で説明する。また本変形例の説明では第１の実施形態と異なる箇所を重点的に説明し、重複する説明はこれを省略する。
【００７５】
図１０は本変形例におけるイベント表示作成処理に関するDTV５３の内部構成の一例を示すブロック図である。図１０には通信I/F１６４、制御部１５６、通信部３１、イベントタイプ判別部５１、表示レイアウト設定部３３、ポップアップ表示作成部５２、ブラウザ画像表示作成部３５、OSD信号生成部１５４、グラフィック処理部１５２、映像処理部１５５、および表示部１２０が示されている。
【００７６】
本変形例におけるイベントタイプ判別部５１はイベント通知のイベントタイプを判別した後、表示レイアウト設定部３３のみではなく、ポップアップ表示作成部５２に対しても判別したイベントタイプの情報を送信する。
【００７７】
ポップアップ表示作成部５２はイベントタイプ判別部５１より受信するイベント通知のイベントタイプの情報に基づいてポップアップ表示の配置、形状を決定し、ポップアップ表示を作成する機能を有している。ここでのポップアップ表示作成部５２が作成するイベント通知のイベントタイプの情報に基づいたポップアップ表示の配置、形状の例は図１１を用いて説明を行なう。
【００７８】
図１１は本変形例におけるイベント通知後のDTV５３の表示部１２０の表示の一例を示す図である。図１１にはDTV５３、表示部１２０、スピーカ１１０、放送番組画面４１、ポップアップ表示６１、及びブラウザ画面４３が示されている。
【００７９】
本実施形態におけるポップアップ表示６１は上述のようにDTV５３が受信するイベント通知のイベントタイプに応じて配置及び形状が切り替わり、図１１に示されるように後にブラウザ画面４３の表示指示をユーザから受けた後に、表示部１２０上のブラウザ画面４３が表示される位置と対応した位置に表示される。図１１において、ポップアップ表示６１はブラウザ画面４３が後に表示される表示部１２０の左側（ユーザから見て）に寄って表示されている。また、ポップアップ表示６１はブラウザ画面４３と幅方向（左右方向）の長さが略同様となっている。これによって、ユーザは後に表示されるブラウザ画面４３の大きさを推測することができる。またブラウザ画面４３が表示される位置と近い位置にポップアップ表示６１が表示されることで、ユーザはブラウザ画面４３が表示される画面に切り替えた後にもポップアップ表示６１を見ていた視線から視線を動かすことなく、ブラウザ画面４３を見ることができ、ユーザにとってブラウザ画面４３は見やすいものとなる。
【００８０】
（第２の実施形態）
以下に、本発明にかかる第２の実施形態を図１２および図１３を用いて説明する。
【００８１】
上の変形例と同様に第１の実施形態と重複する説明に関してはこれを割愛する。
【００８２】
図１２は本実施形態における映像表示システム７１の一例を示す図である。図１にはDTV７２、HGW１１、PC７３、インターネット１２、及びサーバ１３より構成される映像表示システム７１が示されている。
【００８３】
DTV７２は本実施形態において、HTMLブラウザを起動する機能を有していない。また、DTV７２はHDMI端子１３２を介してPC７３とHDMIケーブルによって通信可能に接続されている。ここでのHDMIケーブルを用いた通信にはCEC（Consumer Electronics Control）、またはHEC（HDMI Ethernet（登録商標） Channel）を用いる。
【００８４】
PC７３は各種情報処理を行うことの可能な情報処理装置（Personal Computer）であり、DTV７２とHDMIケーブルによって、HGW１１とLANケーブルによって通信可能に接続されている。PC７３はHTMLブラウザを起動する機能を有しており、サーバ１３から取得したWebページをHTMLブラウザによって表示装置に表示することができる。
【００８５】
図１３は本実施形態におけるイベント通知後のDTV７２の表示部１２０の表示の一例を示す図である。図１３にはDTV７２、表示部１２０、スピーカ１１０、放送番組画面４１、ポップアップ表示４２、PC７３、および、HDMI 入力画面（ブラウザ画面）８１が示されている。
【００８６】
本実施形態において、DTV７２はサーバ１３の提供するWebページを表示するためのブザウザ機能を有していないため、ポップアップ４２の表示後、ユーザよりブラウザの表示指示（サーバ１３の提供する情報の表示指示）を受けると、HDMIケーブルを介してPC７３に対してWebページの取得、ブラウザ起動、およびブラウザを使用したWebページ画像のDTV７２への出力指示を行う。このとき、DTV７２はPC７３に対してイベント通知に含まれるURL情報をPC７３に対して送信し、該Webページをサーバ１３より取得するようPC７３に指示し、取得したWebページを展開可能なブラウザ（本実施形態においてはHTMLブラウザ）を起動させて、起動させたブラウザの画像信号をDTV７２に出力させる。DTV７２はPC７３より入力されるブラウザ画像を、イベント通知のイベントタイプに基づいた作成したレイアウトの表示に重ね合わせ、表示部１２０にHDMI入力画面（ブラウザ画面）８１を表示する。ここでのHDMI入力画面（ブラウザ）８１とはHDMI端子１３１より受信する、PC７３によって起動されているブラウザの画面を表示する表示画面である。
【００８７】
また、イベント通知内に含まれる情報を拡張するとしてもよい。ここでは、上述にてイベント通知内にDTVがポップアップとして表示するメッセージ、提供情報を取得するためのURL、およびその他拡張情報が含まれていると説明したが、その他拡張情報内にブラウザの表示に関するブラウザ関連情報が含まれている場合を考える。ブラウザ関連情報とは例えば、表示のレイアウトに関する情報、サーバ１３が提供する情報を記述するための言語情報、ブラウザの各種能力、ブラウザ等の画面のサイズ、また拡大縮小の縮尺等の情報が考えられる。これらのイベント通知内の重要度に応じて設定されたブラウザ関連情報を用いて、DTV７２は表示形態を設定するとしてもよい。このように構成すると、イベント通知内に含まれる情報を用いて、ブラウザの表示を高い自由度でサーバ１３側が設定することが可能となる。
【００８８】
本実施形態によれば、DTV７２がサーバ１３の提供するファイルに対応するブラウザ機能を有していなかったとしても、他の電子機器を介して表示を取得することで、ブラウザ画面を表示部１２０に表示することが可能となる。
【００８９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００９０】
１０…DTV、１１…HGW、１２…インターネット、１３…サーバ、１１０…スピーカ、１２０…表示部、１００…信号処理部、１１６…操作部、１１７…リモートコントローラ、１１８…受光部、１１９Ａ…第１のメモリーカード、１１９Ｂ…第２のメモリーカード、１２１…表示画面、１３１…LAN端子、１３２…HDMI端子、１３３…USB端子、１３５…外部出力端子、１３６…外部出力端子、１３７…ライン入力端子、１４３…アンテナ、１４４…入力端子、１４５…チューナ、１４６…PSK復調器、１４７…TS復号器、１４８…アンテナ、１４９…入力端子、１５０…チューナ、１５１…OFDM復調器、１５２…グラフィック処理部、１５３…音声処理部、１５４…信号生成部、１５５…映像処理部、１５６…制御部、１５７…ROM、１５８…RAM、１５９…不揮発性メモリ、１６０…カードI/F、１６１…カードホルダ、１６２…カードI/F、１６３…カードホルダ、１６４、１６５…通信I/F、１６６…USBI/F、１６８…アナログチューナ、１６９…アナログ復調器、１７０…HDD、３１…通信部、３２…イベントタイプ判別部、３３…表示レイアウト設定部、３４…ポップアップ表示作成部、３５…ブラウザ画像表示作成部、４１…放送番組画面、４２…ポップアップ表示、４３…ブラウザ画面、５１…イベントタイプ判別部、５２…ポップアップ表示作成部、５3…DTV、６１…ポップアップ表示、７１…映像表示システム、７２…DTV、７３…PC、８１…HDMI 入力画面（ブラウザ画面）
【図１】
0005404700.tif 000002
【図２】
0005404700.tif 000003
【図３】
0005404700.tif 000004
【図４】
0005404700.tif 000005
【図５】
0005404700.tif 000006
【図６】
0005404700.tif 000007
【図７】
0005404700.tif 000008
【図８】
0005404700.tif 000009
【図９】
0005404700.tif 000010
【図１０】
0005404700.tif 000011
【図１１】
0005404700.tif 000012
【図１２】
0005404700.tif 000013
【図１３】
0005404700.tif 000014